【手続補正書】
【提出日】平成29年9月21日(2017.9.21)
【手続補正１】
【補正対象書類名】特許請求の範囲
【補正対象項目名】全文
【補正方法】変更
【補正の内容】
【特許請求の範囲】
【請求項１】
複数の可変表示パラメータに従って画像を生成するために構成可能なディスプレイモジュールと、
各々が対応するグラフィカル出力仕様を有する、電子デバイス上の複数のソフトウェアアプリケーションを実行することと、
オペレーティングシステムに常駐するディスプレイ制御モジュールを実行することと
を行うように構成された、ディスプレイに結合されたプロセッサと
を備え、前記ディスプレイ制御モジュールが、
前記複数のソフトウェアアプリケーションの各々の前記対応するグラフィカル出力仕様を記憶するために、アプリケーションデータ構造を維持することと、
前記可変表示パラメータの各々のための複数の設定値を記憶するために、表示能力データ構造を維持することと、
前記複数のソフトウェアアプリケーションのうちの1つが起動されることに応答して、前記アプリケーションデータ構造および前記表示能力データ構造に記憶されたデータを処理して、前記起動されたアプリケーションからのグラフィカル出力を出力する際に使用する前記ディスプレイモジュールに出力するために、表示パラメータ設定値のセットを生成することと
を行うように構成され、
前記アプリケーションデータ構造が前記グラフィカル出力仕様の各々に対する最小値と推奨値を含み、
前記ディスプレイ制御モジュールが、前記アプリケーションデータ構造内の対応する項目からの前記推奨値が前記表示能力データ構造からの最大値を越えたとき、前記表示能力データ構造からの前記最大値を選択するように構成された、
電子デバイス。
【請求項２】
画像データを処理するように構成された第2のプロセッサと、
前記第2のプロセッサと通信するように構成されたメモリデバイスと
をさらに備える、請求項1に記載の電子デバイス。
【請求項３】
前記ディスプレイに少なくとも1つの信号を送るように構成されたドライバ回路と、
前記ドライバ回路に画像データの少なくとも一部分を送るように構成されたコントローラと
をさらに備える、請求項1に記載の電子デバイス。
【請求項４】
前記プロセッサに画像データを送るように構成された画像ソースモジュールをさらに備え、前記画像ソースモジュールが、受信機、トランシーバ、および送信機のうちの少なくとも1つを備える、請求項1に記載の電子デバイス。
【請求項５】
入力データを受信し、前記プロセッサに前記入力データを通信するように構成された入力デバイスをさらに備える、請求項1に記載の電子デバイス。
【請求項６】
前記複数の可変表示パラメータが、色域、ビット深度、フレームレート、および最大輝度レベルのうちの少なくとも1つを含む、請求項1に記載の電子デバイス。
【請求項７】
前記ディスプレイ制御モジュールが、前記電子デバイスの現在のバッテリレベルに一部は基づいて、表示パラメータ設定値の前記セットを取得するように構成された、請求項1に記載の電子デバイス。
【請求項８】
前記ディスプレイ制御モジュールが、表示基本設定のユーザ入力に一部基づいて、表示パラメータ設定値の前記セットを取得するように構成された、請求項1に記載の電子デバイス。
【請求項９】
前記ディスプレイ制御モジュールが、周辺光データに一部基づいて、表示パラメータ設定値の前記セットを取得するように構成された、請求項1に記載の電子デバイス。
【請求項１０】
前記ディスプレイ制御モジュールが、複数の関連する表示パラメータ設定値を有する動作モードを選択することによって、前記アプリケーションデータ構造および前記表示能力データ構造に記憶されたデータを処理するように構成された、請求項1に記載の電子デバイス。
【請求項１１】
前記アプリケーションデータ構造が、前記グラフィカル出力仕様の各々についての最小値および推奨値を含む、請求項1に記載の電子デバイス。
【請求項１２】
アプリケーションからのグラフィカル出力の表示用の表示パラメータ設定値を決定する方法であって、
プロセッサ上で実行されるオペレーティングシステム内に常駐するディスプレイ制御モジュールにより、前記プロセッサによって実行可能な複数のソフトウェアアプリケーションの対応するグラフィカル出力仕様を記憶する、アプリケーションデータ構造を維持するステップと、
前記ディスプレイ制御モジュールにより、前記プロセッサに結合されたディスプレイモジュールの能力に基づいて、複数の可変表示パラメータおよび前記可変表示パラメータの各々についての複数の設定値を記憶する、表示能力データ構造を維持するステップと、
前記複数のソフトウェアアプリケーションのうちの1つが起動されることに応答するディスプレイ制御モジュールにより、前記アプリケーションデータ構造および前記表示能力データ構造に記憶されたデータに基づいて、前記起動されたアプリケーションからのグラフィカル情報を出力する際に使用する表示パラメータ設定値のセットを選択するステップと、
前記プロセッサにより、表示パラメータ設定値の前記選択されたセットを前記ディスプレイモジュールに送信するステップと
を含み、
前記アプリケーションデータ構造が前記グラフィカル出力仕様の各々に対する最小値と推奨値を含み、
表示パラメータ設定値のセットを選択する前記ステップが、前記アプリケーションデータ構造内の対応する項目からの前記推奨値が前記表示能力データ構造からの最大値を越えたとき、前記表示能力データ構造からの前記最大値を選択するステップをさらに含む、
方法。
【請求項１３】
前記表示能力データ構造を維持するステップが、色域、ビット深度、フレームレート、または最大輝度レベルのうちの少なくとも1つについての値を維持するステップを含む、請求項12に記載の方法。
【請求項１４】
表示パラメータ設定値の前記セットを選択するステップが、前記ディスプレイモジュールに電気的に結合されたバッテリの現在のバッテリレベルにさらに基づく、請求項12に記載の方法。
【請求項１５】
表示パラメータ設定値の前記セットを選択するステップが、周辺光データにさらに基づく、請求項12に記載の方法。
【請求項１６】
前記アプリケーションデータ構造および前記表示能力データ構造に記憶されたデータを処理するステップをさらに含み、前記処理するステップが、複数の関連する表示パラメータ設定値を有する動作モードを選択するステップを含む、請求項12に記載の方法。
【請求項１７】
プロセッサによって実行可能な複数のソフトウェアアプリケーションの対応するグラフィカル出力仕様を記憶する、アプリケーションデータ構造を維持するための手段と、
前記プロセッサに結合されたディスプレイモジュールの能力に基づいて、複数の可変表示パラメータおよび前記可変表示パラメータの各々についての複数の設定値を記憶する、表示能力データ構造を維持するための手段と、
前記複数のソフトウェアアプリケーションのうちの1つを起動する要求を受信するための手段と、
前記起動されたアプリケーションからのグラフィカル情報を出力する際に使用する表示パラメータ設定値のセットを選択するための手段であって、前記選択が、前記アプリケーションデータ構造および前記表示能力データ構造に記憶されたデータに基づいて行われる、手段と、
表示パラメータ設定値の前記選択されたセットを前記ディスプレイモジュールに送信するための手段と
を備え、
前記アプリケーションデータ構造が前記グラフィカル出力仕様の各々に対する最小値と推奨値を含み、
表示パラメータ設定値のセットを選択するための前記手段が、前記アプリケーションデータ構造内の対応する項目からの前記推奨値が前記表示能力データ構造からの最大値を越えたとき、前記表示能力データ構造からの前記最大値を選択するように構成される、
電子デバイス。
【請求項１８】
前記複数の可変表示パラメータが、色域、ビット深度、フレームレート、および最大輝度レベルのうちの少なくとも1つを含む、請求項17に記載の電子デバイス。
【請求項１９】
前記電子デバイスの現在のバッテリレベルに一部基づいて、表示パラメータ設定値の前記セットを取得するための手段をさらに備える、請求項17に記載の電子デバイス。
【請求項２０】
複数の関連する表示パラメータ設定値を有する動作モードを選択するための手段をさらに備える、請求項17に記載の電子デバイス。
【請求項２１】
周辺光データに一部基づいて、表示パラメータ設定値の前記セットを取得するための手段をさらに備える、請求項17に記載の電子デバイス。
【請求項２２】
プロセッサによって実行されたとき、アプリケーションからのグラフィカル出力の表示用の表示パラメータ設定値を決定する方法を前記プロセッサに実施させる命令が符号化されている、コンピュータ可読記憶媒体であって、前記方法が、
プロセッサ上で実行されるオペレーティングシステム内に常駐するディスプレイ制御モジュールにより、前記プロセッサによって実行可能な複数のソフトウェアアプリケーションの対応するグラフィカル出力仕様を記憶する、アプリケーションデータ構造を維持するステップと、
前記ディスプレイ制御モジュールにより、前記プロセッサに結合されたディスプレイモジュールの能力に基づいて、複数の可変表示パラメータおよび前記可変表示パラメータの各々についての複数の設定値を記憶する、表示能力データ構造を維持するステップと、
前記複数のソフトウェアアプリケーションのうちの1つが起動されることに応答するディスプレイ制御モジュールにより、前記アプリケーションデータ構造および前記表示能力データ構造に記憶されたデータに基づいて、前記起動されたアプリケーションからのグラフィカル情報を出力する際に使用する表示パラメータ設定値のセットを選択するステップと、
前記プロセッサにより、表示パラメータ設定値の前記選択されたセットを前記ディスプレイモジュールに送信するステップと
を含み、
前記アプリケーションデータ構造が前記グラフィカル出力仕様の各々に対する最小値と推奨値を含み、
表示パラメータ設定値のセットを選択する前記ステップが、前記アプリケーションデータ構造内の対応する項目からの前記推奨値が前記表示能力データ構造からの最大値を越えたとき、前記表示能力データ構造からの前記最大値を選択するステップをさらに含む、
コンピュータ可読記憶媒体。
【請求項２３】
前記表示能力データ構造を維持するステップが、色域、ビット深度、フレームレート、または最大輝度レベルのうちの少なくとも1つについての値を維持するステップを含む、請求項22に記載のコンピュータ可読記憶媒体。
【請求項２４】
表示パラメータ設定値の前記セットを選択するステップが、前記ディスプレイモジュールに電気的に結合されたバッテリの現在のバッテリレベルにさらに基づく、請求項22に記載のコンピュータ可読記憶媒体。
【請求項２５】
表示パラメータ設定値の前記セットを選択するステップが、周辺光データにさらに基づく、請求項22に記載のコンピュータ可読記憶媒体。
【請求項２６】
前記方法が、前記アプリケーションデータ構造および前記表示能力データ構造に記憶されたデータを処理するステップをさらに含み、前記処理するステップが、複数の関連する表示パラメータ設定値を有する動作モードを選択するステップを含む、請求項22に記載のコンピュータ可読記憶媒体。
【請求項２７】
電子デバイスであって、
ビット深度パラメータを含む可変表示パラメータに従って画像を生成するために構成可能なディスプレイモジュールと、
各々が対応するグラフィカル出力仕様を有する、前記電子デバイス上の複数のソフトウェアアプリケーションを実行することと、
オペレーティングシステムに常駐するディスプレイ制御モジュールを実行することと
を行うように構成された、前記ディスプレイに結合されたプロセッサと
を備え、前記ディスプレイ制御モジュールが、
前記ビット深度パラメータに対する最小値と推奨値を含む、起動されているアプリケーションに関する情報に基づいて、かつ、前記ビット深度パラメータに対する最大値を含む前記ディスプレイモジュールの能力に関する情報に基づいて、前記ビット深度パラメータに対する設定を生成する、
ように構成され、
前記アプリケーションデータ構造が前記グラフィカル出力仕様の各々に対する最小値と推奨値を含み、
前記ディスプレイ制御モジュールが、前記ビット深度パラメータの前記推奨値が前記ビット深度パラメータの前記最大値を越えたとの判定に応答して、前記ビット深度パラメータの前記最大値を選択するように構成された、
電子デバイス。
【請求項２８】
前記ディスプレイ制御モジュールは、前記電子デバイスの現在のバッテリレベル、表示基本設定のユーザ入力、および周辺光データのうち少なくとも１つに基づいて前記ビット深度パラメータに対する前記設定を生成するように構成される、請求項27に記載の電子デバイス。